(57)【特許請求の範囲】
【請求項１】
ヘッド部に装着した回転切削工具の切削作用面に水を噴射しつつ歯科治療を行うハンドピースにおいて、
回転切削工具を挿着したヘッド部に複数の水噴射孔を形成するとともに、該水噴射孔の噴射方向を切削工具の切削作用面に対して一定角度に設定し、かつ該水噴射孔の噴射方向に対して噴射方向が斜めに交差する空気噴射孔を該水噴射孔に隣接して形成するとともに、前記水の噴射方向を前記空気噴射孔からの噴射圧力にて変化させることにより水噴射の拡散範囲を自在に変化させ、前記切削工具の所望の切削作用面に水噴射することを特徴とする歯科用ハンドピース。
【請求項２】
一定角度に設定した前記水噴射孔の噴射方向に対して各種角度にて交わる方向に噴射する空気噴射孔を水噴射孔に隣接して形成するとともに、該水噴射孔と該水噴射孔に隣接して形成した空気噴射孔の対を回転切削工具を中心にして複数箇所に形成したことを特徴とする請求項１記載の歯科用ハンドピース。
【請求項３】
前記水噴射孔から噴射する水圧と前記空気噴射孔から噴射する空圧との相対的圧力を変化させることにより回転切削工具の長手方向に対する水の噴射方向を自在に変化させることを特徴とする請求項１または２記載の歯科用ハンドピース。
【発明の詳細な説明】
【０００１】
【発明の属する技術分野】
本発明は回転切削工具の切削作用面に対して注水冷却する機能を有する歯科用ハンドピースに関する。
【０００２】
【従来の技術】
従来から歯科の治療において、回転切削工具を挿着したハンドピースを用いて患部を削除することが行われているが、この治療では患部を削除する際に切削による熱が発生するので、この熱が生体に悪影響を及ぼさないようにすると同時に、切削により発生する切り屑を排除するために、回転切削工具の切削作用面に水と空気を混合して噴射していた。
【０００３】
前記従来のハンドピースとしては、例えば実公平４−５００１５号公報に開示された歯科用ハンドピース、又は特開平２−２２８９５７号公報に開示された歯科用ハンドピースが公知である。
【０００４】
実公平４−５００１５号公報に開示された歯科用ハンドピースは、図４に示されるように、ヘッド５１にローター５２が内蔵され、その回転軸５３の軸心に回転切削工具５４が装着され、ヘッド５１の切削工具５４装着部近傍に切削工具５４の切削作用面に向かって水と空気を同時に噴射する末広がりの筒状注水孔５５が設けられている。
【０００５】
一方、ハンドピース本体５６の内部には水流路５７及び空気流路５８が設けられ、円内の図に示されるように水流路５７は周溝５９に、空気流路５８は周溝６０に接続され、周溝６０と周溝５９との間は小隙６１を介して連通されていて、周溝５９内で水と空気が混合し注水孔５５から霧状に噴射する構成となっている。なお回転切削工具５４の切削作用面に対する噴射方向は注水孔５５の傾斜角度Θ１及び開口角度Θ２を適宜に設定することにより回転切削工具５４の全長にわたって噴射することが可能となっている。
【０００６】
特開平２−２２８９５７号公報に開示された歯科用ハンドピースは、図５に示されるように、ヘッド７１内に形成された周溝７２に水流路７３が接続され、周溝７４に空気流路７５が接続され、周溝７４は周溝７６を介して筒状の水噴射孔７７の出口に形成したリング状の噴射孔７８に連通されていて、水と空気を同時に霧状に噴射する構成となっている。この場合、空気はリング状の噴射孔７８から円錐気流となって噴射されることによりこの円錐気流によるコアンダ効果にて水を切削部に配向させ乱流を減少させるようになっている。
【０００７】
【発明が解決しようとする課題】
しかしながら、前記実公平４−５００１５号公報に開示された歯科用ハンドピースの場合は、周溝５９内にて水と空気を混合した後に末広がりの筒状注水孔５５から霧状に噴射する構成であることにより、周溝５９内における水と空気の混合状態によっては水の噴射量にむらが生じやすいという問題がある。
【０００８】
また特開平２−２２８９５７号公報に開示された歯科用ハンドピースの場合は、円錐気流のコアンダ効果により水を切削部に集中配向させるものであり、噴射方向を変化させて広い範囲に水を噴射することが不可能であり、例えば長い切削作用面を有する回転切削工具の全長に対して平均的に水を噴射することが困難であるという問題がある。
【０００９】
よって本発明は前記問題点に鑑みてなされたものであり、様々な形状の回転切削工具における切削作用面の全面に平均に水噴射することができる歯科用ハンドピースの提供を目的とする。
【００１０】
【課題を解決するための手段】
上記目的を達成するため、本発明の請求項１に係る歯科用ハンドピースは、ヘッド部に装着した回転切削工具の切削作用面に水を噴射しつつ歯科治療を行うハンドピースにおいて、回転切削工具を挿着したヘッド部に複数の水噴射孔を形成するとともに、該水噴射孔の噴射方向を切削工具の切削作用面に対して一定角度に設定し、かつ該水噴射孔の噴射方向に対して噴射方向が斜めに交差する空気噴射孔を該水噴射孔に隣接して形成するとともに、前記水の噴射方向を前記空気噴射孔からの噴射圧力にて変化させることにより水噴射の拡散範囲を自在に変化させ、前記切削工具の所望の切削作用面に水噴射することを特徴とするものである。
【００１１】
請求項１に係る歯科用ハンドピースによれば、一定角度にて噴射する水の噴射方向に対して斜めに交わる方向に空気を噴射することにより空気の噴射圧力にて水の噴射方向を変化させることにより水噴射の拡散範囲を自在に変化させ、長い切削作用面を有する回転切削工具の広い範囲に水噴射することが可能となる。
【００１２】
請求項２に係る歯科用ハンドピースは、一定角度に設定した前記水噴射孔の噴射方向に対して各種角度にて交わる方向に噴射する空気噴射孔を水噴射孔に隣接して形成するとともに、該水噴射孔と該水噴射孔に隣接して形成した空気噴射孔の対を回転切削工具を中心にして複数箇所に形成したことを特徴とするものである。
【００１３】
請求項２に係る歯科用ハンドピースによれば、互いに噴射方向が交わる方向にかつ隣接して形成した水噴射孔と空気噴射孔との対を回転切削工具を中心に複数箇所に設けることにより、複数箇所から切削作用面の周囲に水噴射することが可能となり、患部の冷却及び切削屑の排除効果を高めることが可能となる。
【００１４】
請求項３に係る歯科用ハンドピースは、前記水噴射孔から噴射する水圧と前記空気噴射孔から噴射する空圧との相対的圧力を変化させることにより回転切削工具の長手方向に対する水の噴射方向を自在に変化させることを特徴とするものである。
【００１５】
請求項３に係る歯科用ハンドピースによれば、噴射する水と空気の相対的圧力を変化させて水の噴射方向を自在に変化させることにより、各種形状の回転切削工具の形状に対応して切削作用面に効率的に噴射することが可能となる。
【００１６】
【発明の実施の形態】
以下、本発明の実施の形態を図面に基づいて説明する。
図１から図３は本発明の実施の形態に係り、図１は歯科用ハンドピースの頭部断面図、図２は歯科用ハンドピースの頭部斜視図、図３は歯科用ハンドピースの全体を示す側面図である。
【００１７】
本発明の歯科用ハンドピースは、図３に示されるようにハンドピース本体１の一端に図示しない回転機構を内蔵するヘッド部２を備え、内蔵する回転機構の回転中心に回転切削工具３が着脱自在に装着される構成となっている。
【００１８】
この詳細な構造として、前記ヘッド部２は、図１に示されるように上下のベアリング４により回転自在に軸支された回転軸５を中心に空気圧にて回転するローター６が内蔵され、回転軸５の下端に前記回転切削工具３が着脱自在に装着されている。
【００１９】
また、ヘッド部２の下面にはリング７がナット８を介して固定されており、リング７の下面における外側に水噴射孔９が形成され、水噴射孔９に隣接した内側に空気噴射孔１０が形成されている。一方、ハンドピース本体１側には水流路１１及び空気流路１２が設けられ、水噴射孔９はヘッド部２側に形成された周溝１３を介して水流路１１に接続され、空気噴射孔１０は周溝１４を介して空気流路１２に接続されている。
なお、図中の符号１５はパッキンを示す。
【００２０】
前記水噴射孔９及び隣接した空気噴射孔１０は対をなし工具３を中心とした同芯円上の複数箇所に設けられている。そして複数箇所に設けられた総ての水噴射孔９の回転軸に対する角度はａ＝ａ′の一定角度に設定され、空気噴射孔１０のそれぞれは回転軸に対してｂ又はｃ等の異なる角度に設定されていて、水の噴射方向１６と空気の噴射方向１７とが交点Ｐ，Ｑ等にて交差するようになっている。
【００２１】
なお、対をなした水噴射孔９と空気噴射孔１０は、回転切削工具３を中心とした同芯円上の複数箇所にて対向配置することが望ましいが対向配置に限るものではない。
【００２２】
以上の構成の歯科用ハンドピースは、使用に際して図示しない圧力源にて加圧された水と空気がハンドピース本体１の水流路１１及び空気流路１２のそれぞれを経てヘッド部２側に供給され、供給された圧力水は周溝１３に導入され、周溝１３に連通した複数の水噴射孔９から噴射される。一方、圧力空気は周溝１４に導入され、周溝１４に連通した複数の空気噴射孔１０から噴射される。この場合、回転工具３を中心にして外側に設けられた水噴射孔９から噴射する水噴射１６と内側に隣接して設けられた空気噴射孔１０から噴射する空気噴射１７とが点Ｐ及びＱにて交差し、内側から噴射する空気噴射１７の圧力にて水噴射１６の方向が外側に押し出されることにより、水の噴射範囲がＲ又はＳで示される範囲に拡散される。
【００２３】
さらに、本発明の歯科用ハンドピースに供給する水及び空気の相対的噴射圧力を変化させることにより前記水噴射のＲまたはＳにて示される拡散範囲を自在に変化させることができ、各種形状の回転切削工具の切削作用面に対応して効率的に水噴射することが可能となる。
【００２４】
【発明の効果】
本発明によれば、水噴射孔と空気噴射孔の双方から噴射するそれぞれの噴射方向が斜めに交差するようにするとともに、空気の噴射圧力にて水の噴射方向を変化させることにより、水噴射の拡散範囲を自在に変化させ、長い切削作用面を有する回転切削工具の全長に対して平均的に水噴射することが可能となる。
【００２５】
また、ハンドピースに供給する空気圧又は水圧を相対的に変化させることにより水の噴射方向を自在に変化させることができるので、長さの異なる各種形状の回転切削工具の切削作用面に対して効率的な水噴射を行うことが可能となる。
【００２６】
以上により治療時に患部に発生する熱及び削り屑を効率的にかつ確実に除去することでき、発生熱による生体への悪影響を防止し、治療効率を向上させることが可能となる。
【図面の簡単な説明】
【図１】本発明の実施の形態に係る歯科用ハンドピースの頭部断面図である。
【図２】歯科用ハンドピースの頭部斜視図である。
【図３】歯科用ハンドピースの全体を示す側面図である。
【図４】従来のハンドピースの説明図である。
【図５】従来のハンドピースの説明図である。
【符号の説明】
１  ハンドピース本体
２  ヘッド部
３  回転切削工具
４  ベアリング
５  回転軸
６  ローター
７  リング
８  ナット
９  水噴射孔
１０  空気噴射孔
１１  水流路
１２  空気流路
１３，１４  周溝
１５  パッキン
１６  水噴射方向
１７  空気噴射方向
【図１】
0004381563.tif 000002
【図２】
0004381563.tif 000003
【図３】
0004381563.tif 000004
【図４】
0004381563.tif 000005
【図５】
0004381563.tif 000006